(57)【要約】【課題】カメラ本体には設計制約を与えず、且つコンパクトカメラや小型ミラーレスカメラに装着しても不自然でない、小型な、本体冷却機能を備えるカメラアクセサリーを提供すること。【解決手段】カメラアクセサリーは、カメラ本体へ締結されるねじ部材と、吸気口と、前記ねじ部材を挟んで吸気口の反対側に設けられた排気口と、前記吸気口と前記排気口をつなぐ通風路と、前記通風路上に設けられたファンを備え、前記ねじ部材は、カメラ本体に締結される、熱伝導部材から成るねじ部と、前記通風路に露出する、熱伝導部材から成る放熱部と、アクセサリー底面に露出する、非熱伝導部材から成るつまみ部から構成される。【選択図】図１
2020046596.tif 000002
【特許請求の範囲】
【請求項１】
カメラ本体へ締結されるねじ部材と、
吸気口と、
前記ねじ部材を挟んで吸気口の反対側に設けられた排気口と、
前記吸気口と前記排気口をつなぐ通風路と、
前記通風路上に設けられたファンを備え、
前記ねじ部材は、カメラ本体に締結される、熱伝導部材から成るねじ部と、
前記通風路に露出する、熱伝導部材から成る放熱部と、
アクセサリー底面に露出する、非熱伝導部材から成るつまみ部から構成されることを特徴とするカメラアクセサリー。
【請求項２】
前記カメラ本体に、ジャケットとして装着されることを特徴とする請求項１に記載のカメラアクセサリー。
【請求項３】
前記ファンはグリップ部の内部に設けられることを特徴とする請求項１又は２に記載のカメラアクセサリー。
【請求項４】
前記吸気口は前記グリップ部に設けられ、且つ、前記グリップ部の指掛り部を避けて設けられることを特徴とする請求項１乃至３の何れか一項に記載のカメラアクセサリー。
【請求項５】
前記ねじ部材の放熱部はフィン形状を備えることを特徴とする請求項１乃至４の何れか一項に記載のカメラアクセサリー。
【発明の詳細な説明】
【技術分野】
【０００１】
本発明は、デジタルカメラ等の撮像装置に装着するアクセサリーに関する。
【背景技術】
【０００２】
近年、デジタルカメラ等の撮像装置において、撮影できる動画の解像度が高くなるにつれ、動画撮影で消費する電力の量も多くなる傾向にあり、その結果、動画撮影に伴う本体温度の上昇が問題となっている。
【０００３】
特に、コンパクトカメラや小型ミラーレスカメラにおいてはカメラ本体の熱容量が小さいので本体温度の上昇が顕著であり、長時間にわたる動画撮影を行うことができずに、ユーザーが撮影の機会を逃してしまうという問題があった。
【０００４】
そのような問題を解決する方法として本体を冷却する機能を備える外部アクセサリーが提案されている（特許文献１）。
【先行技術文献】
【特許文献】
【０００５】
【特許文献１】特開２０１２−１９８４４７号公報
【発明の概要】
【発明が解決しようとする課題】
【０００６】
しかしながら、上記特許文献１では、カメラ本体に冷却用の風路を設ける必要があるためカメラ本体の小型化が難しく、また、カメラ本体に設けた通風口から内部に雨や埃等が侵入し易いといった問題がある。
【０００７】
また、上記特許文献１のアクセサリーはファンを内蔵するため大きさが大きくなり、コンパクトカメラや小型ミラーレスカメラに装着するにはデザインの観点で不釣り合いになってしまうという問題もあった。
【０００８】
そこで、本発明は、カメラ本体には設計制約を与えず、且つコンパクトカメラや小型ミラーレスカメラに装着しても不自然でない、小型な、本体冷却機能を備えるカメラアクセサリーを提供することを目的とする。
【課題を解決するための手段】
【０００９】
上記の目的を達成するために、本発明に係るカメラアクセサリーは、
カメラ本体へ締結されるねじ部材と、
吸気口と、
前記ねじ部材を挟んで吸気口の反対側に設けられた排気口と、
前記吸気口と前記排気口をつなぐ通風路と、
前記通風路上に設けられたファンを備え、
前記ねじ部材は、カメラ本体に締結される、熱伝導部材から成るねじ部と、前記通風路に露出する、熱伝導部材から成る放熱部と、アクセサリー底面に露出する、非熱伝導部材から成るつまみ部から構成されることを特徴とする。
【発明の効果】
【００１０】
本発明によれば、カメラ本体には設計制約を与えず、且つコンパクトカメラや小型ミラーレスカメラに装着しても不自然でない、小型な、本体冷却機能を備えるカメラアクセサリーを提供することができる。
【図面の簡単な説明】
【００１１】
【図１】（ａ）は本発明の実施形態の一例であるカメラジャケット１を正面側から見た斜視図、（ｂ）は（ａ）に示すカメラジャケットをカメラ本体に装着した状態を示す斜視図である。
【図２】グリップ部４の内部の通風路７の断面図である。
【図３】底面部内部の通風路７の断面図である。
【図４】（ａ）はねじ部材３の斜視図、（ｂ）はねじ部材３の分解図である。
【発明を実施するための形態】
【００１２】
以下、本発明を実施するための形態について、図面を参照しながら説明する。
【００１３】
図１（ａ）は本発明の実施形態の一例であるカメラジャケット１を正面側（被写体側）から見た斜視図、図１（ｂ）は図１（ａ）に示すカメラジャケット１をカメラ本体２に装着した状態を示す斜視図である。
【００１４】
カメラジャケット本体１にはユーザーが手で回すことのできるつまみ部３ｂが設けられたねじ部材３が取り付けられており、カメラ本体１の三脚用ねじ穴にねじ部材３のねじ部３ａを締めつけることにより、カメラジャケット本体１はカメラ本体に装着される。
【００１５】
カメラジャケット１にはユーザーが右手で保持し易いように隆起した形状のグリップ部４が設けられており、隆起形状の指掛り面ではない方の斜面に吸気口５が複数箇所設けられている。そのため、ユーザーがカメラジャケット１のグリップ部４を把持した場合も吸気口５はユーザーの指で塞がれることはない。
【００１６】
また、グリップ部４のねじ部材３を挟んで反対側の底面には複数の排気口６が設けられている。カメラジャケット本体１の内部には吸気口５と排気口６をつなぐ空洞の通風路７が設けられている。
【００１７】
図２はカメラジャケット１を長手方向に対して垂直に、吸気口５で切断し、グリップ部４側から見た、通風路７の断面図である。
【００１８】
通風路７は吸気口５からグリップ部４の内部を下に伸び、カメラジャケット底面に設けられた空間に達する経路になっている。
【００１９】
通風路７の吸気口５に隣接してファン８が設けられており、ファン８は図の右側面が吸気面、図の下面が排気面となっている。
【００２０】
ファン８はグリップ部４内に設けられた電源（不図示）に接続されており、ユーザーの操作により駆動されると、吸気口５より外気を吸引し、通風路７へ外気を供給する。
【００２１】
図３はカメラジャケット１を長手方向にねじ部材３の軸中心で切断し、背面側から見た通風路７の断面図である。
【００２２】
吸気口５から入りファン８を通過した外気は通風路７の底面部を通り、排気口６から排出される。
【００２３】
ねじ部材３には複数枚の放熱フィン３ｃが設けられており、放熱フィン３ｃの表面は通風路７に露出している。
【００２４】
図４（ａ）はねじ部材３単体の斜視図、図４（ｂ）はねじ部材３の分解図である。
【００２５】
ねじ部材３はねじ部３ａ、つまみ部３ｂ、放熱フィン３ｃ、締結ねじ３ｄから構成される。
【００２６】
ねじ部３ａは円柱形の金属で形成され、先端に雄ねじが切られている。
【００２７】
ねじ部３ａの雄ねじの切られていない円柱部分には複数枚の放熱フィン３ｃが圧入で固定される。
【００２８】
放熱フィン３ｃは熱伝導率の高い銅やアルミ等の金属の薄板で形成される。
【００２９】
放熱フィン３ｃは放熱の役割を果たす円盤部と、ねじ部３ａに圧入固定される円筒部から成り、放熱フィン３ｃを複数枚重ねると、各々の放熱フィン３ｃの円盤部の間には円筒部の高さ分の隙間ができる。
【００３０】
つまみ部３ｂは熱伝導性の低い樹脂等で形成され、ねじ部３ａに締結ねじ３ｄで締結される。
【００３１】
カメラジャケット１をカメラ本体２に装着した状態ではねじ部材３のねじ部３ａは三脚用ねじ穴に締結されており、前述の通りねじ部３ａおよび放熱フィン３ｃは金属で形成されている。
【００３２】
そのため、カメラ本体２の温度が動画撮影などの操作によって上昇した場合には、カメラ本体２内部の熱が三脚用ねじ穴からねじ部３ａを伝って、放熱フィン３ｃまで伝播する。
【００３３】
ユーザーによってファン８の駆動が行われていると、吸気口５から吸引された外気が通風路７内に露出した放熱フィン３ｃの熱を対流によって奪い、そのまま排気口６から排出される。
【００３４】
また、ねじ部材３のつまみ部３ｂは熱伝導率の低い樹脂部材で形成されているので、ねじ部３ａの熱は伝わりづらい。
【００３５】
そのため、カメラ本体２の温度が上昇している場合でもユーザーは熱による不快さを感じることなく、カメラ本体２からカメラジャケット１を取り外すことができる。
【００３６】
本実施例のカメラジャケット１の使用においては、カメラ本体２内部の熱源が、三脚用ねじ穴に熱的に接続されていると、カメラ本体２の冷却効率を更に高めることが可能となる。
【００３７】
以上説明したように、本実施例のようなカメラジャケット１を使用することにより、カメラ本体２の内部に蓄積される熱を効率よく強制的に外気に排出し、カメラ本体２の温度が上昇するのを抑えることが可能となる。
【００３８】
また、ファン８をカメラジャケット１のグリップ部４に配置することにより、ジャケット本体のサイズを大きくすることなくカメラ本体の冷却機能を持たせることができ、小型なカメラに装着した場合でもデザイン性を損なわないカメラジャケットを提供することが可能となる。
【００３９】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００４０】
１  カメラジャケット本体、２  カメラ本体、３  ねじ部材、
３ａ  ねじ部、３ｂ  つまみ部、３ｃ  放熱フィン、
３ｄ  締結ねじ、４  グリップ部、５  吸気口、６  排気口、
７  通風路、８  ファン 
【図１】
2020046596.tif 000003
【図２】
2020046596.tif 000004
【図３】
2020046596.tif 000005
【図４】
2020046596.tif 000006